(57)【要約】【課題】ゲッター支持部材の弾性力を低減させることなく、ゲッター支持部材に発生する渦電流を低減することにより、偏向磁界の乱れによる画像歪のない陰極線管を提供することを目的とする。【解決手段】ゲッター支持部材５０は、ゲッター容器７０とゲッター支持用スプリング８０とからなる。ゲッター支持用スプリング８０の基端部は、電子銃４の先端部のトップユニット９の側面に溶接されている。また、ゲッター支持用スプリング８０は、偏向磁界領域１０にわたって延在し、偏向磁界領域１０を越えた領域において、その先端側にゲッター容器７０を備える。ゲッター支持用スプリング８０は、ゲッター支持部材５０の長手方向に延びる複数の板状の金属部材で構成されたものであって、これらの金属部材は、その長手方向と略平行方向に側面同士が互いに固定されたものである。【選択図】  図１
2005005230.tif 000002
【特許請求の範囲】
【請求項１】
陰極線管のネック部に収納された電子銃に基端部が支持され、前記陰極線管の外周に装着された偏向ヨークの偏向磁界領域に延在し、その延在した先端側にゲッター容器を備えるゲッター支持部材を有する陰極線管であって、
前記ゲッター支持部材は、前記ゲッター支持部材の長手方向に延びる複数の金属部材からなることを特徴とする陰極線管。
【請求項２】
前記ゲッター支持部材の断面形状が略矩形状であって、前記矩形が縦の長さよりも横の長さの方が大きいものであることを特徴とする請求項１記載の陰極線管。
【請求項３】
前記ゲッター支持部材を構成する前記金属部材の断面形状が略矩形状であって、前記金属部材の断面矩形が縦の長さよりも横の長さの方が大きいものであることを特徴とする請求項２記載の陰極線管。
【請求項４】
前記ゲッター支持部材を構成する前記金属部材の断面形状が略矩形状であって、前記金属部材の断面矩形が横の長さよりも縦の長さの方が大きいものであることを特徴とする請求項２記載の陰極線管。
【発明の詳細な説明】
【０００１】
【発明の属する技術分野】
本発明は、テレビジョン受像機やコンピューターディスプレイ等に用いられる陰極線管に関し、特に、陰極線管のネック部に収納される電子銃に支持されるゲッター支持部材に関するものである。
【０００２】
【従来の技術】
図３に示すように、従来の陰極線管は、ガラスで成形されたパネル１とファンネル２とからなる真空外囲器、ファンネル２のネック部３内に設置された電子銃４、および電子銃４の先端部に溶接固着されたゲッター支持部材５を備えている。また、ファンネル２の外周には偏向ヨーク６が装着される。尚、図３ではシャドウマスクや内部磁気シールド等は省略している。
【０００３】
図４は、図３に示す陰極線管のネック部３からファンネル２にかけての要部拡大断面図である。図４に示すように、ゲッター支持部材５はゲッター容器７とゲッター支持用スプリング８とからなる。ゲッター支持用スプリング８は、その基端部が電子銃４の先端部にある円筒形状のトップユニット９の側面に溶接され、偏向ヨークの偏向磁界領域１０にわたって延在し、偏向磁界領域１０を越えた領域において、その先端側にゲッター容器７を備えたものである。尚、ゲッター容器７は、ゲッター支持用スプリング８の弾性力でファンネル２の内面に圧着保持されている。
【０００４】
ゲッター容器７の内部にはゲッター物質（バリウム）が入れられており、陰極線管を真空排気した後ファンネル２の外部からゲッター容器７を高周波加熱することで、ゲッター物質を蒸発させてパネル１の内面およびファンネル２の内面に蒸着させることにより、陰極線管内の真空度を保つようにしている。ゲッター容器７はゲッター物質の蒸発後もゲッター支持用スプリング８によってファンネル２の内面に圧着保持される。
【０００５】
近年、陰極線管の高精細化による偏向周波数の上昇および陰極線管の大型化が進むにつれ、陰極線管の消費電力の低減が強く求められている。そこで、陰極線管の消費電力の多くを占める偏向ヨークの偏向電力を減少させるために、ネック部の径を小さくしたり、ファンネルのネック部に近いコーン部を角型に構成したりして、偏向ヨークと電子ビームとを近づけることが行われている。
【０００６】
この結果、ゲッター支持部材と電子ビームとの距離も短くなり、偏向ヨークの偏向磁界の変化を受けてゲッター支持部材に発生する渦電流の値も大きくなる。従って、渦電流による誘導磁界も大きくなり、偏向磁界が撹乱し陰極線管の画像品質が低下するという問題があった。
【０００７】
この問題を解決するゲッター支持部材として、ゲッター支持用スプリングの偏向ヨークの位置する部分に複数個の空隙を設けることにより、渦電流による偏向磁界の乱れを抑制するゲッター支持体が提案されている（例えば、特許文献１参照）。
【０００８】
【特許文献１】
特開平７−２９６７４７号公報
【０００９】
【発明が解決しようとする課題】
しかしながら、特許文献１に開示されたゲッター支持部材のようにゲッター支持用スプリングに空隙を設けると、ゲッター支持部用スプリングの弾性力が弱くなる。これにより、陰極線管の振動等によりゲッター支持部材が振動した場合、ファンネル内面に塗布された内部導電膜が削られ易くなり、管内放電を引き起こす原因となる異物が管内に蓄積されるという課題があった。
【００１０】
本発明は、上記課題を解決するためになされたものであり、ゲッター支持部材の弾性力を低減させることなく、ゲッター支持部材に発生する渦電流を低減することにより、偏向磁界の乱れによる画像歪のない陰極線管を提供することを目的とする。
【００１１】
【課題を解決するための手段】
本発明に係る陰極線管は、陰極線管のネック部に収納された電子銃に基端部が支持され、前記陰極線管の外周に装着された偏向ヨークの偏向磁界領域に延在し、その延在した先端側にゲッターを備えるゲッター支持部材を有する陰極線管であって、前記ゲッター支持部材は、前記ゲッター支持部材の長手方向に延びる複数の金属部材からなることを特徴とするものである。
【００１２】
また、上記本発明に係る陰極線管においては、前記ゲッター支持部材の断面形状が略矩形状であって、前記矩形が縦の長さよりも横の長さの方が大きいものであることが好ましい。
【００１３】
さらに、前記ゲッター支持部材を構成する前記金属部材の断面形状が略矩形状であって、前記金属部材の断面矩形が縦の長さよりも横の長さの方が大きいものであることが好ましい。逆に、前記ゲッター支持部材を構成する前記金属部材の断面形状が略矩形状であって、前記金属部材の断面矩形が横の長さよりも縦の長さの方が大きいものであってもよい。
【００１４】
【発明の実施の形態】
以下、本発明の実施形態に係る陰極線管について図を参照して説明する。
【００１５】
本発明の実施形態に係る陰極線管は、図３に示す従来の陰極線管と同様に、ガラスで成形されたパネル１とファンネル２とからなる真空外囲器、ファンネル２のネック部３内に設置された電子銃４、およびファンネル２の外周に装着された偏向ヨーク６を備えている。電子銃４の先端部には、ゲッター支持部材５０が溶着固定されている。
【００１６】
図１は、本発明の実施形態に係る陰極線管のネック部３からファンネル２にかけての要部拡大断面図である。
【００１７】
図１に示すように、本発明の実施形態に係る陰極線管のゲッター支持部材５０は、ゲッター容器７０とゲッター支持用スプリング８０とからなる。ゲッター支持用スプリング８０の基端部は、電子銃４の先端部にある円筒形状のトップユニット９の側面に溶接されている。また、ゲッター支持用スプリング８０は、偏向ヨークの偏向磁界領域１０にわたって延在し、偏向磁界領域１０を越えた領域において、その先端側にゲッター容器７０を備えている。尚、ゲッター容器７０が、ゲッター支持用スプリング８０の弾性力でファンネル２の内面に圧着保持されているのは従来と同様である。
【００１８】
図２（ａ）、（ｂ）は、図１に示すゲッター支持用スプリング８０の偏向磁界領域１０部分のみを図示したゲッター支持部材の要部拡大斜視図である。
【００１９】
図２（ａ）、（ｂ）に示すように、本実施形態に係るゲッター支持部材のゲッター支持用スプリング８０は、複数の板状の金属部材８１、８２で構成されたものであって、これらの金属部材８１、８２は、その長手方向と略平行の側面同士が接触するようにして互いに溶接固定されたものである。尚、金属部材８１、８２には、ゲッター支持部材５０の長手方向に延びる孔等は設けられていない。
【００２０】
また、複数の金属部材８１、８２が溶接固定された状態において、ゲッター支持部材５０全体としての断面形状は、縦の長さよりも横の長さの方が大きい略矩形状である。尚、ゲッター支持部材５０及び金属部材８１、８２の断面形状において、ゲッター容器７０の底面と垂直な方向を縦方向（紙面上下方向）とし、この縦方向と垂直方向を横方向（紙面左右方向）とする。
【００２１】
複数の金属部材８１、８２が固定された状態におけるゲッター支持部材５０の断面の横の長さは、従来のゲッター支持部材５の断面の横の長さとほぼ同じである。すなわち、本実施形態に係るゲッター支持部材５０は、従来のゲッター支持部材５をその長手方向に、かつ幅方向に複数に分割したものと実質的に同じものを用いてもよい。少なくとも、ゲッター支持部材を構成する１つの金属部材の横方向の長さが、従来のゲッター支持部材の横方向の長さよりも小さいものであればよい。また、金属部材８１、８２の材質としては、ＳＵＳ１８／１２ＤＳＮ６を用いた。
【００２２】
図２（ａ）は、断面形状が縦の長さよりも横の長さの方が大きい略矩形状の金属部材８１を２つ、その側面同士を固定した場合のゲッター支持部材を表したものである。
【００２３】
このように、ゲッター支持部材５０のゲッター支持用スプリング８０を複数個の金属部材８１で構成したことにより、図２（ａ）に示すように、偏向磁界による渦電流９０が発生したとしても、複数の金属部材で構成されない（分割されていない）横の長さが同じ程度の従来のゲッター支持部材と比較して、偏向磁界（ゲッター支持部材５０の主面垂直方向からの磁界）が貫く実質的な面積を小さくすることができるので、渦電流そのものの大きさを小さくすることができる。すなわち、ゲッター支持用スプリング８０に発生する渦電流は、隣り合う金属部材にまたがって発生しないので、渦電流そのものの大きさを小さくすることができる。これにより、渦電流による偏向磁界への影響を抑制することができる。尚、図２（ａ）においては、２つの金属部材を用いてゲッター支持部材を構成したが、２つに限るものではなく、３個以上の金属部材でゲッター支持部材を構成しても構わない。
【００２４】
また、図２（ｂ）は、断面形状が横の長さよりも縦の長さの方が大きい略矩形状の金属部材８２を４つ、その側面同士を固定した場合のゲッター支持部材を表したものである。
【００２５】
図２（ｂ）に示すように、金属部材の断面形状を横の長さよりも縦の長さの方が大きいものとすることにより、偏向磁界が貫く実質的な面積をさらに小さくすることができ、発生する渦電流９１もさらに小さくすることができる。従って、渦電流による偏向磁界への影響を一層抑制することができる。尚、図２（ｂ）においては、４つの金属部材を用いてゲッター支持部材を構成したが、４つに限るものではなく、２個以上の金属部材でゲッター支持部材を構成しても構わない。
【００２６】
以上、本実施形態に係るゲッター支持部材の断面矩形は、全体として縦の長さよりも横の長さの方が大きいものとしたが、逆に、縦の長さが横の長さよりも大きいものであっても構わない。但し、ゲッター支持用スプリングとしての適度な弾性力維持を考慮すれば、前者の縦の長さよりも横の長さの方が大きいもののほうが好ましい。
【００２７】
【発明の効果】
本発明に係る陰極線管は、ゲッター支持部材が複数の金属部材で構成されたものであるので、ゲッター支持部材の弾性力を低減させることなく、ゲッター支持部材に発生する渦電流を低減することができる。
【００２８】
すなわち、ゲッター支持部材の弾性力を低減させないことにより、陰極線管に振動が生じた場合のゲッター支持部材の振動の発生を抑制できる。従って、ファンネル内面に塗布された内部導電膜がゲッター支持部材によって削られることがないので、管内放電を引き起こす原因となる異物が管内に蓄積されることもない。また、ゲッター支持部材に発生する渦電流を低減することにより、偏向磁界の乱れによる画像歪のない陰極線管を提供することができる。
【図面の簡単な説明】
【図１】本発明の実施形態に係る陰極線管のネック部からファンネルにかけての要部拡大断面図
【図２】（ａ）本発明の実施形態に係る陰極線管のゲッター支持部材の要部拡大斜視図
（ｂ）本発明の実施形態に係る陰極線管のゲッター支持部材の変形例の要部拡大斜視図
【図３】従来の陰極線管の断面図
【図４】従来の陰極線管のネック部からファンネルにかけての要部拡大断面図
【符号の説明】
１  パネル
２  ファンネル
３  ネック部
４  電子銃
５、５０  ゲッター支持部材
６  偏向ヨーク
７、７０  ゲッター容器
８、８０  ゲッター支持用スプリング
９  トップユニット
１０  偏向磁界領域
８１、８２  金属部材
９０、９１  渦電流
【図１】
2005005230.tif 000003
【図２】
2005005230.tif 000004
【図３】
2005005230.tif 000005
【図４】
2005005230.tif 000006